(57)【要約】【課題】  偏心の少ない磁石を備え得る時計用モータのロータ構造体、これを備えた時計用モータ及びこれを備えた電子時計、並びに時計用モータのロータ構造体の形成方法を提供すること【解決手段】  電子時計の時計用モータのロータ構造体１は、円板状磁石１０と該磁石１０を支える樹脂製ロータ本体２０とを備える。ロータ本体２０が、該ロータ本体２０の回転軸Ｃ１に対して垂直な平面に沿って延在し円板状磁石１０の挿設される第一の径方向穴２５を有し、該第一の径方向穴２５の周壁３２Ａ，３２Ｂに磁石１０を保持する保持面を備える。ロータ本体２０が第一の径方向穴２５の一端開口の周囲に該穴２５の延在方向に垂直に延びる第一の位置決め面を備える。この場合、円板状磁石２０が径方向穴２５に沿って該穴２５に挿入され、ロータ本体２０に対して心合せされることにより、ロータ構造体が形成される。【選択図】  図１
2008107126.tif 000002
【特許請求の範囲】
【請求項１】
円板状磁石と該磁石を支える樹脂製ロータ本体とを備える時計用モータのロータ構造体であって、該ロータ本体が、該ロータ本体の回転軸に対して垂直な平面に沿って延在し前記円板状磁石の挿設される第一の径方向穴を有し、該第一の径方向穴の周壁に前記磁石を保持する保持面を備える時計用モータのロータ構造体。
【請求項２】
前記ロータ本体が前記第一の径方向穴の一端開口の周囲に該穴の延在方向に垂直に延びる第一の位置決め面を備える請求項１に記載の時計用モータのロータ構造体。
【請求項３】
前記保持面が、前記第一の径方向穴の延在方向に平行で且つ前記ロータ本体の回転軸の延在方向に平行である請求項１又は２に記載の時計用モータのロータ構造体。
【請求項４】
前記ロータ本体が、該ロータ本体の回転軸に対して垂直な平面に沿って前記第一の径方向穴に直交するように延在し且つ前記磁石の移動を許容する第二の径方向穴を有する請求項１又は２に記載の時計用モータのロータ構造体。
【請求項５】
前記ロータ本体が、前記第二の径方向穴の一端開口の周囲に該第二の径方向穴の延在方向に垂直に延びる第二の位置決め面を備える請求項１、２及び４のうちいずれか一つの項に記載の時計用モータのロータ構造体。
【請求項６】
前記保持面が、前記第一及び第二の径方向穴の延在方向に平行で且つロータ構造体の軸の延在方向に対して垂直である請求項４又は５に記載の時計用モータのロータ構造体。
【請求項７】
請求項１から６までのいずれか一つの項に記載のロータ構造体を有する時計用モータ。
【請求項８】
請求項７に記載の時計用モータを有する電子時計。
【請求項９】
回転軸に対して垂直な平面内で延びる第一の径方向穴を備えると共に該第一の径方向穴の一端開口の周囲に該第一の径方向穴の延在方向に垂直に延びる第一の位置決め面を備える樹脂製ロータ本体に対して、前記第一の位置決め面に一致するところまで円板状磁石を押込んだ後、更に所定深さまで円板状磁石を押込んで円板状磁石をロータ本体に対して位置調整し、時計用モータのロータ構造体を形成することからなる時計用モータのロータ構造体の形成方法。
【請求項１０】
前記第一の径方向穴に直交する方向に延びる第二の径方向穴を備えると共に該第二の径方向穴の一端開口の周囲に該第二の径方向穴の延在方向に垂直に延びる第二の位置決め面を備える樹脂製ロータ本体に対して、前記第一の径方向穴の延在方向に関する前記位置調整の後、前記第二の位置決め面に一致するところまで第二の径方向穴の延在方向に円板状磁石を押込み、その後、第二の径方向穴の延在方向に更に所定深さまで円板状磁石を押込んで円板状磁石をロータ本体に対して位置調整し、時計用モータのロータ構造体を形成することからなる請求項９に記載の時計用モータのロータ構造体の形成方法。
【発明の詳細な説明】
【技術分野】
【０００１】
本発明は、時計用モータのロータ構造体に係り、より詳しくは、時計用モータのロータ構造体、これを備えた時計用モータ及びこれを備えた電子時計、並びに時計用モータのロータ構造体の形成方法に係る。
【背景技術】
【０００２】
時計用モータのロータ構造体としては、中央に軸方向穴を備える穴明き磁石の該軸方向穴に軸部を嵌着してなるタイプのもの（例えば、特許文献１や特許文献２）や、穴のない円板状磁石をインサート成形により一体化してなるタイプのもの（例えば、特許文献３）が知られている。
【０００３】
前者のロータ構造体では、磁石の中央の軸方向穴の位置精度を高めにくいことから、磁石が多少なりとも偏心して時計用モータの性能を低下させたり該性能にばらつきを生じさせる虞れがある。
【０００４】
一方、後者のロータ構造体では、樹脂の被覆を最低限に抑えようとすると、磁石と金型との間に擦れが生じ易く、大量生産を続けようとすると、該擦れにより金型が磨耗して、磁石が偏心した状態で一体化されたロータ構造体が出来てしまう虞れがある。
【特許文献１】特開昭６１−４６１５０号公報
【特許文献２】特開昭５１−８１９０７号公報
【特許文献３】特開昭５３−９３３１４号公報
【発明の開示】
【発明が解決しようとする課題】
【０００５】
本発明は、前記諸点に鑑みなされたものであり、偏心の少ない磁石を備え得る時計用モータのロータ構造体、これを備えた時計用モータ及びこれを備えた電子時計、並びに時計用モータのロータ構造体の形成方法を提供することにある。
【課題を解決するための手段】
【０００６】
本発明の時計用モータのロータ構造体は、前記目的を達成すべく、円板状磁石と該磁石を支える樹脂製ロータ本体とを備える時計用モータのロータ構造体であって、該ロータ本体が、該ロータ本体の回転軸に対して垂直な平面に沿って延在し前記円板状磁石の挿設される第一の径方向穴を有し、該第一の径方向穴の周壁に前記磁石を保持する保持面を備える。
【０００７】
本発明の時計用モータのロータ構造体では、「円板状磁石を支える樹脂製ロータ本体が該円板状磁石の挿設される第一の径方向穴を有する」ので、円板状磁石を該第一の径方向穴内でロータ本体に対して変位させることにより、円板状磁石をロータ本体に対して心合せし得る。また、本発明の時計用モータのロータ構造体では、「ロータ本体が、第一の径方向穴の周壁に前記磁石を保持する保持面を備える」ので、円板状磁石がロータ本体に対して心合せされた位置で該円板状磁石をロータ本体に対して固定状態に保ち得る。従って、本発明の時計用モータのロータ構造体は、偏心の少ない磁石を備え得る。
【０００８】
ここで、典型的には、第一の径方向穴の側壁が該穴内における円板状磁石の径方向変位を案内する。但し、所望ならば、別途案内を助ける治具を設けて円板状磁石を該径方向穴内で変位させてもよい。
【０００９】
円板状磁石を径方向穴内で保持する周壁は、径方向穴の側壁であっても、軸線方向両側の端壁であってもよい。
【００１０】
本発明の時計用モータのロータ構造体では、典型的には、前記ロータ本体が前記第一の径方向穴の一端開口の周囲に該穴の延在方向に垂直に延びる第一の位置決め面を備える。
【００１１】
この場合、第一の径方向穴の前記一端開口の少なくとも一部に第一の位置決め面に沿って延びる位置決め面を備えた位置決め補助用の治具を配置しておき（又は該地具に対してロータ本体を所定の位置及び向きに配置しておき）、第一の径方向穴の他端の開口から円板状磁石を挿入し、且つ円板状磁石の周面のうち奥端に位置する部分が前記位置決め補助用の治具の位置決め面に当接するまで円板状磁石を第一の径方向穴内に押込み、該当接の後、位置決め補助用の治具の位置決め面を前記一端開口部分から取除き、更に、所定長だけ円板状磁石を第一の径方向穴に押込んで心合せをすればよい。なお、ここで、円板状磁石の挿入前に、円板状磁石の径及びロータ本体の中心から第一の位置決め面までの長さを予め測定しておく。これにより、ロータ本体及び円板状磁石の個体差を吸収し得る。ロット単位等のように特定の群毎に変動がある場合には、ロット単位等のような特定の群毎に計測してもよい。また、位置決め治具への当接により円板状磁石の事前挿入位置を合わせる代わりに、位置決め治具に対して所望の距離に円板状磁石が達する位置をもって円板状磁石の事前挿入位置とするようにしてもよい。
【００１２】
本発明の時計用モータのロータ構造体では、典型的には、前記保持面が、前記第一の径方向穴の延在方向に平行で且つ前記ロータ本体の回転軸の延在方向に平行である。
【００１３】
その場合、円板状磁石を単に第一の径方向穴に沿って所望深さまで押込めばよい。
【００１４】
本発明の時計用モータのロータ構造体では、前記ロータ本体が、該ロータ本体の回転軸に対して垂直な平面に沿って前記第一の径方向穴に直交するように延在し且つ前記磁石の移動を許容する第二の径方向穴を有していてもよい。
【００１５】
その場合、円板状磁石を更に第二の径方向穴に沿って押込むことにより、該第二の径方向穴の延在方向に対しても円板状磁石をロータ本体に対して心合せし得る。従って、第二の径方向穴の延在方向すなわち第一の径方向穴の延在方向に対して直角な方向に関するロータ本体の該第一の穴の位置やサイズにも個体差があっても、該個体差を吸収し得る。
【００１６】
この場合、本発明の時計用モータのロータ構造体では、典型的には、前記ロータ本体が、前記第二の径方向穴の一端開口の周囲に該第二の径方向穴の延在方向に垂直に延びる第二の位置決め面を備える。
【００１７】
従って、本発明の時計用モータのロータ構造体では、第一の径方向穴の延在方向に関する第一の位置決め面を利用した上述の位置合わせ（心合せ）と同様にして、第二の径方向孔の延在方向に関しても、第二の位置決め面を利用して、円板状磁石をロータ本体に対して心合せし得る。従って、円板状磁石をロータ本体に対して確実に心合せすることが可能になる。
【００１８】
なお、この場合、典型的には、第一の径方向穴をその横方向（第二の軸方向穴の延在方向）の一方にずらしておき、第一の径方向穴の延在方向について円板状磁石の位置調整が完了した後、該ズレを解消する向きに第二の径方向穴の延在方向に沿って円板状磁石の位置調整をする。但し、所望ならば、第二の径方向穴の延在方向のうち両方向への偏心の可能性を許容し、円板状磁石の周面の位置を観察した上で、位置調整の向きを決めるようにしてもよい。その場合、第二の位置決め面は、第二の径方向穴の両端に形成される。
【００１９】
第二の径方向穴を有する場合、本発明の時計用モータのロータ構造体では、典型的には、前記保持面が、前記第一及び第二の径方向穴の延在方向に平行で且つロータ構造体の軸の延在方向に対して垂直である。
【００２０】
従って、本発明の時計用モータのロータ構造体では、第一及び第二の径方向穴があるにもかかわらず、円板状磁石をロータ本体に対して確実に固定し得る。
【００２１】
本発明の時計用モータは、上述のようなロータ構造体を有し、本発明の電子時計は、このような時計用モータを有する。
【００２２】
本発明を方法の観点で言えば、時計用モータのロータ構造体の形成方法は、前記目的を達成すべく、回転軸に対して垂直な平面内で延びる第一の径方向穴を備えると共に該第一の径方向穴の一端開口の周囲に該第一の径方向穴の延在方向に垂直に延びる第一の位置決め面を備える樹脂製ロータ本体に対して、前記第一の位置決め面に一致するところまで円板状磁石を押込んだ後、更に所定深さまで円板状磁石を押込んで円板状磁石をロータ本体に対して位置調整し、時計用モータのロータ構造体を形成することからなる。
【００２３】
この場合における具体的な心合せの仕方については、ロータ構造体について上述したとおりである。
【００２４】
本発明を方法の観点で言えば、また、本発明の時計用モータのロータ構造体の形成方法は、前記第一の径方向穴に直交する方向に延びる第二の径方向穴を備えると共に該第二の径方向穴の一端開口の周囲に該第二の径方向穴の延在方向に垂直に延びる第二の位置決め面を備える樹脂製ロータ本体に対して、前記第一の径方向穴の延在方向に関する前記位置調整の後、前記第二の位置決め面に一致するところまで第二の径方向穴の延在方向に円板状磁石を押込み、その後、第二の径方向穴の延在方向に更に所定深さまで円板状磁石を押込んで円板状磁石をロータ本体に対して位置調整し、時計用モータのロータ構造体を形成することからなっていてもよい。
【００２５】
この場合における具体的な心合せの仕方についても、ロータ構造体について上述したとおりである。
【発明を実施するための最良の形態】
【００２６】
本発明の好ましい実施の形態のいくつかを添付図面に示した好ましい実施例に基づいて説明する。
【実施例】
【００２７】
本発明の好ましい第一実施例のロータ構造体１は、図１の斜視図に示したように、磁石１０と、ロータ本体としてのロータかな本体２０とを有する。
【００２８】
磁石１０は、横断面が直径Ｄ（図６参照）の円形で高さがＨ（図６参照）の円板１１の形を有する。ここで、直径Ｄ及び高さＨは、夫々、例えば１．５ｍｍ程度及び０．５ｍｍ程度である。但し、夫々、より大きくてもより小さくてもよい。なお、磁石１０は、直径方向に磁化されている。
【００２９】
ロータかな本体２０は、ロータ構造体１を示す図１に加えて、該ロータかな本体２０の詳細形状を示した図２の（ａ）〜（ｄ）及び図３の（ａ）〜（ｃ）からわかるように、樹脂により一体成形されてなるもので、円柱状の枠体部２１と、かな部２２と、一対の軸部ないしほぞ部２３，２４とを一体的に有する。一対のほぞ部２３，２４は、同一の中心軸線Ｃ１に沿って一列に並び、且つ該中心軸線Ｃ１を中心として回転対称な形状を有する。かな部２２も、ほぞ部２３，２４と一列に並び、中心軸線Ｃ１を中心として、回転対称な形状を有する。以下では、説明の便宜上、ロータかな本体２０に固定したＸ，Ｙ，Ｚ直交座標系（右手系）を採る。Ｚ軸は中心軸線Ｃ１に一致し、かな部２２のある側に向いている。＋Ｚの向きないし側を、以下では、便宜上、上向きないし上側ともいい、反対向きないし反対側を下向きないし下側ともいう。
【００３０】
ロータかな本体２０の枠体部２１は、断面が長方形状の径方向穴２５を有する。ここで、径方向穴２５の延在方向をＸ軸とし、これに直角な方向をＹ軸とする。図２の（ｃ）及び（ｄ）並びに図３の（ａ）及び（ｂ）に加えてロータ構造体１のＸＹ平面に沿った断面を示す図４からわかるように、径方向穴２５は、枠体２１の外周円Ａに実質的に内接する長方形状で、Ｘ方向長さがＬ１、Ｙ方向幅がＬ２である。また、図２の（ｃ），（ｄ）や図３の（ａ），（ｂ）からわかるように、径方向穴２５は、Ｚ方向高さがＬ３で、Ｙ方向幅がＬ２の長方形の横断面形状を有する。ここで、径方向穴２５のＹ方向幅Ｌ２は、磁石１０の直径Ｄと実際上同一で（厳密には締め代分だけ僅かに小さい）、Ｚ方向高さＬ３は、磁石１０の高さＨと実際上同一である（厳密には同じか僅かに大きい）。
【００３１】
枠体２１は、径方向穴２５の延在方向の両端に、切欠部２６，２７を備える。一方の切欠部２６は、径方向穴２５の一方の開口２８を規定し、且つ開口２８の外向きに拡がるように傾斜した挿入案内部２９Ａ，２９Ｂ，２９Ｃ（総称するとき又は相互に区別しないときには符号２９で表す）を備える。
【００３２】
他方の切欠部２７は、径方向穴２５の他方の開口３１を規定するようにＹＺ平面に沿って一平面上に延在する位置決め部３０を有する。この位置決め部３０は、開口３１の周囲のうち両側に位置する直線状の左右の位置決め側縁部３０Ａ，３０Ｂと下側（−Ｚ側）に位置する下側位置決め面部３０Ｃとを含む。位置決め部３０の各部３０Ａ，３０Ｂ，３０Ｃは、Ｘ方向に対して垂直な一平面（位置決め面）上に位置する。
【００３３】
円板状磁石１０は、ロータかな本体２０の枠体部２１の径方向穴２５内に、その中心軸線Ｃ２がロータかな本体２０の中心軸線Ｃ１に一致するように、配置され、磁石１０の円板１１の外周面１２が、図４に示したように、ロータかな本体２０の枠体部２１の径方向穴２５の両側壁（Ｙ方向両端の壁部）３２Ａ，３２Ｂ（区別しないとき又は総称するときは符号３２で表す）によってＹ方向に保持された状態で、ロータかな本体２０に固定される。
【００３４】
このロータ構造体１では、円板状磁石１０がロータかな本体２０に対して径方向穴２５内でＸ方向に変位可能であるから、円板状磁石１０のロータかな本体２０に対する偏心が最小限になるように位置調整され得る。なお、Ｙ方向の偏心は、径方向穴２５をＹ方向の正確な位置に形成しておくことにより、最小限に抑えられ得る。
【００３５】
以上のような構造を有するロータ構造体１の製造方法について、次に、図５から図８に基づいて説明する。
【００３６】
ロータ構造体１は、図５のフローチャートに示した手順に従って、製造される。
【００３７】
まず、図７の（ａ）に示したように、円板状磁石１０及びロータかな本体２０の関連する寸法を測定する（ステップＳＡ１）。より詳しくは、円板状のロータ磁石１０については、その直径Ｄを測定する。時計用モータのロータ構造体１では、この直径は、大まかには、例えば、１．５ｍｍ程度である。但し、より大きくてもより小さくてもよい。また、ロータかな本体２０については、ロータかな本体２０の下側ほぞ部（−Ｚ側のほぞ部）２４の中心Ｃ１と位置決め面３０Ｃとの間のＸ方向距離Ｅを測定する。ここで、例えば中心の位置（中心軸線Ｃ１の位置）は、ロータかな本体２０を回転させて定めてもよい。なお、中心軸線Ｃ１の位置を決め難い場合、例えば、位置決め面３０Ｃとほぞ部２４との最短距離及び最長距離を測りその和の半分をもって距離Ｅとしてもよい。なお、時計用モータのロータ構造体１では、下ほぞ部２４の外径は、例えば、０．２ｍｍ程度である。但し、より大きくてもより小さくてもよい。
【００３８】
これにより、後で（後述のステップＳＡ７において）必要となる位置調整長さＦが、Ｆ＝（Ｄ／２）−Ｅとして決定される。
【００３９】
次に、位置決め平面４１を備えた治具４０をセットすると共に、ロータかな本体２０を治具４０に対して所定位置に所定の向きでセットする。これにより、治具４０は、位置決め平面４１の一部４１Ａでロータかな本体２０の位置決め面３０Ｃに当接すると共に、他の一部４１Ｂが、径方向穴２５の開口３１を実際上蔽う（ステップＳＡ２，ＳＡ３）。なお、このとき、位置決め平面４１は、開口３１の側縁を規定するロータかな本体２０の直線状側縁部３０Ａ，３０Ｂにも当接する。
【００４０】
次に、図６及び図７の（ｂ）に示したように、ロータかな本体２０の開口２８から円板状のロータ磁石１０を径方向穴２５内にＸ方向に挿入し押込む（ステップＳＡ４）。この押込みに際しては、例えば、治具４０の位置決め面４１に対してＸ方向に変位される押込み具を用いる。この押込み具は、例えば、治具４０の一部をなす。
【００４１】
この挿入ないし押込みは、図８の（ａ）に示したように、ロータ磁石１０の円板１１の外周面１２の奥端部１２Ａが開口３１を閉じている治具４０の平面部４１Ｂに当接することにより、完了する（ステップＳＡ５）。従って、治具４０の位置決め面４１を含む部分をロータかな本体２０の位置決め面３０に沿ってスライドさせて開口３１のところから取り除く（ステップＳＡ６）但し、ロータかな本体２０を安定に所定の向き及び位置に保持した状態に保つべく、治具４０のうち位置決め平面４１の部分をロータかな本体２０の位置決め平面部３０Ｃに対して当接状態に保つ。この状態では、図８の（ａ）に示したように、円板状磁石１０の中心Ｃ２がロータかな本体２０の中心Ｃ１に対して、上記長さＦだけズレていることになる。
【００４２】
次に、押込み平面を備えた押込み治具によって、円板状磁石１０を径方向穴２５に沿って上記所定長さＦだけ押込む（ステップＳＡ７）。これにより、円板状磁石１０の中心Ｃ２がロータかな本体２０の中心Ｃ１に一致して、心合せが達成され、磁石１０の位置調整が完了し（ステップＳＡ８）、ロータ構造体１０が完成する（ステップＳＡ９及び図８の（ｂ））。この状態では、円板状磁石１０は、図４に示したように、外周面１２がロータかな本体２０の側壁部３２Ａ，３２Ｂにより径方向内向きに締付け把持されるので、ロータかな本体２０に対して固定状態に保たれる。
【００４３】
なお、磁石１０が予め磁化されている場合には、これにより、ロータ構造体としてのロータかな１の形成が完了する。その場合、磁石１０の磁化方向と径方向穴２５の延在方向との相対的な向きを選ぶようにしてもよい。例えば、磁化方向を径方向穴２５の延在方向Ｘに一致させたり、これと直角な向きＹにしたり、両者に対して所望の角度ズレた向きにしてもよい。一方、磁石１０をロータかな本体２０の径方向穴２５内に位置決め固定した後、磁石１０を磁化してもよい。その場合にも、磁化方向を、Ｘ方向、Ｙ方向又は両者に対して所望角度傾いた向きにしてもよい。
【００４４】
以上の如く構成されたロータ構造体１は、図１８に示したように、時計用モータ本体２に組込まれて、時計用モータ３を構成すると共に、かな部２２において時計輪列４に噛合されて、時計５の時刻表示針（図示せず）を運針させる。
【００４５】
このロータ構造体１では、磁石１０がロータかな本体２０の中心軸線Ｃ１に対して心合せされているので、エネルギのロスが最低限に抑えられた状態で回転が行われ得、また、このロータ構造体１では、ほぞ部２３，２４に偏心に伴う不自然な横向きの力がかからないので、ほぞ部２３，２４が損傷を受ける虞れが少ない。更に、このロータ構造体１では、磁石１０に穴をあける必要がないので、磁石が最大限効率的に利用され得る。従って、このロータ構造体１を備えた時計用モータ３を有する時計５では、エネルギのロスが最低限に抑えられた状態で、且つ機械的損傷が最低限に抑えらえた状態で、時計用モータ３が長期間安定に且つ効率的に動作され得る。なお、このロータ構造体１では、磁石１０を樹脂に埋込む必要がないので、金型の磨耗や損傷の虞れが少ない。
【００４６】
以上においては、円板状磁石１０がロータかな本体２０に対して、一軸方向Ｘに沿って位置調整されるロータ構造体１について説明したけれども、ロータ構造体は、円板状磁石がロータかな本体に対して、二軸方向の両方に沿って位置調整され得るように構成されていてもよい。
【００４７】
次に、このような二軸調整タイプのロータ構造体１０１を本発明の第二実施例として、説明する。この第二実施例の時計用モータのロータ構造体１０１において、図１から図８に示した第一実施例の要素に対応する要素には、「１００」の位に符号「１」が付されている。
【００４８】
本発明の好ましい第二実施例のロータ構造体１０１は、図９の斜視図に示したように、磁石１１０と、ロータ本体としてのロータかな本体１２０とを有する。
【００４９】
磁石１１０は、ロータ構造体１の磁石１０と同一で、横断面が直径Ｄ（図１４参照）の円形で高さがＨ（図１４参照）の円板１１１の形を有する。円板１１１の隅部は面取りされている。なお、磁石１１０は直径方向に磁化されている。
【００５０】
ロータかな本体１２０は、ロータ構造体１０１を示す図９に加えて、該ロータかな本体１２０の詳細形状を示した図１０の（ａ）〜（ｄ）及び図１１の（ａ）〜（ｃ）からわかるように、樹脂により一体成形されてなるもので、第一実施例のロータ構造体１のロータかな本体２０と同様に、円柱状の枠体部１２１と、かな部１２２と、一対の軸部ないしほぞ部１２３，１２４とを一体的に有する。一対のほぞ部１２３，１２４は、同一の中心軸線Ｃ１に沿って一列に並び、且つ該中心軸線Ｃ１を中心として回転対称な形状を有する。かな部１２２も、ほぞ部１２３，１２４と一列に並び、中心軸線Ｃ１を中心として、回転対称な形状を有する。以下では、第一実施例の場合と同様に、説明の便宜上、ロータかな本体１２０に固定したＸ，Ｙ，Ｚ直交座標系（右手系）を採る。Ｚ軸は中心軸線Ｃ１に一致し、かな部１２２のある側に向いている。この例においても、＋Ｚの向きないし側を、便宜上、上向きないし上側ともいい、反対向きないし反対側を下向きないし下側ともいう。ロータかな本体１２０の構造は、上述の範囲内では、第一実施例のロータ構造体１のロータかな本体２０の構造と同一である。
【００５１】
ロータかな本体１２０の枠体部１２１は、断面が長方形状の第一の径方向穴１２５と、該第一の径方向穴１２５に直交し断面が長方形状の第二の径方向穴１６５とを有する。第一及び第二の径方向穴１２５，１６５の頂壁面１６１及び底壁面１６２は同一平面状にある。ここで、第一の径方向穴１２５の延在方向をＸ軸とし、これに直角な第二の径方向穴１６５の延在方向をＹ軸とする。
【００５２】
換言すれば、枠体部１２１は、Ｚ軸に垂直な平面内に相互に直交する二つの径方向穴１２５，１６５を備えるべく、頂壁１６１及び底壁１６２に加えて、四本の柱状部１３４，１３５，１３６，１３７を有する。
【００５３】
第一の径方向穴１２５は、図１０の（ｃ）や（ｄ）等からわかるように、＋Ｙ方向に多少ズレた位置にある。即ち、ＹＺ面でみて、第一の径方向穴１２５の＋Ｙ側の側面を規定する柱状部１３４，１３６の−Ｙ方向面と中心軸線Ｃ１との間のＹ方向距離は、該第一の径方向穴１２５の−Ｙ側の側面を規定する柱状部１３５，１３７の＋Ｙ方向面と中心軸線Ｃ１との間のＹ方向距離よりも少し大きい。
【００５４】
図１１の（ａ）や（ｂ）からわかるように、枠体部１２１は、第一の径方向穴１２５の延在方向の両端に、切欠部１２６，１２７を備える。一方の切欠部１２６は、第一の径方向穴１２５の一方の開口１２８を規定し、且つ、図１０の（ｃ）や図１１の（ｃ）からわかるとおり、開口１２８の外向きに拡がるように傾斜した挿入案内部１２９Ａ，１２９Ｂ，１２９Ｃ（総称するとき又は相互に区別しないときには符号１２９で表す）を備える。
【００５５】
他方の切欠部１２７は、第一の径方向穴１２５の他方の開口１３１を規定するようにＹＺ平面に沿って一平面上に延在する位置決め部１３０を有する。この位置決め部１３０は、図１０の（ｄ）からわかるように、開口１３１の周囲のうち両側に位置する直線状の左右の位置決め側縁部１３０Ａ，１３０Ｂと下側（−Ｚ側）に位置する下側位置決め面部１３０Ｃとを含む。
【００５６】
枠体部１２１は、更に、第二の径方向穴１６５の延在方向の両端のうち頂壁１６１よりも下側（−Ｚ側）の部分に、切欠部ないし凹部１６６，１６７を備える。
【００５７】
−Ｙ側に位置する一方の切欠部１６６は、第二の径方向穴１６５の一方の開口１６８を規定するように、ＺＸ平面に沿って一平面上に延在する位置決め部１６９を有する。この位置決め部１６９は、開口１６８の下側（−Ｚ側）に位置する位置決め面部を含む。
【００５８】
＋Ｙ側に位置する他方の切欠部１６７は、第二の径方向穴１６５の他方の開口１７０を規定すると共に押圧手段挿入案内壁部１７１を規定する。
【００５９】
図１０の（ｃ）及び（ｄ）並びに図１１の（ａ）及び（ｂ）からわかるように、第一の径方向穴１２５は、Ｘ方向長さがＬ４、Ｙ方向幅がＬ５である。同様に、第二の径方向穴１６５は、Ｙ方向長さがＬ６、Ｘ方向幅がＬ７である。
【００６０】
第一の径方向穴１２５の頂壁１６１には、複数の突条１６３，１６３が形成されている。突条１６３の下端１６４と第一及び第二の径方向穴１２５の底壁１６２とのＺ方向の間隔はＬ８である。従って、第一の径方向穴１２５は、Ｙ方向幅がＬ５でＺ方向の実質的高さがＬ８であるような横断面形状を有する。なお、第二の径方向穴１６５のうち第一の径方向穴１２５と交差する部分（第二の径方向穴１６５の大半の部分で中央部分）には、突条１６３があることから、第二の径方向穴１６５も、Ｘ方向幅がＬ７でＺ方向の実質的高さＬ８であるような横断面形状を有する。
【００６１】
第一の径方向穴１２５のＹ方向幅Ｌ５は、磁石１０の直径Ｄよりも大きく、第二の径方向穴１６５のＸ方向幅Ｌ７は、磁石１０の直径Ｄよりも小さい。また、第一及び第二の径方向穴１２５，１６５の頂壁１６１と底壁１６２との間隔は、磁石１０の高さＨよりも大きく、突条１６３の下端１６４と第一及び第二の径方向穴１２５の底壁１６２とのＺ方向の間隔Ｌ８は、磁石１０の高さＨとほぼ同一で、厳密には締め代分だけ僅かに小さい。
【００６２】
円板状磁石１１０は、ロータかな本体１２０の枠体部１２１の径方向穴１２５，１６５内に、その中心軸線Ｃ２がロータかな本体１２０の中心軸線Ｃ１に一致するように、配置され、磁石１１０の円板１１１の上面１１１Ａ及び下面１１１Ｂが、図１２に示したように、ロータかな本体１２０の枠体部１２１の径方向穴１２５，１６５の頂壁１６１の突条１６３，１６３と底壁１６２とによってＺ方向に保持された状態で、ロータかな本体１２０に固定される。ここで、突条１６３，１６３は、磁石１１０の押圧固定部として働く。なお、以上のようなＺ方向の保持力は、前述の柱状部１３４，１３５，１３６，１３７（図１２では図示せず）によって、確保される。
【００６３】
このロータ構造体１０１では、円板状磁石１１０がロータかな本体１２０に対して径方向穴１２５，１６５内でＸ方向及びＹ方向に変位可能であるから、円板状磁石１１０のロータかな本体１２０に対する偏心が最小限になるように位置調整され得る。ここで、円板状磁石１１０の位置調整は、ＸＹ面内で所望方向に所望量だけ行われ得るので、このロータ構造体１０１では、実際上常に、磁石１１０とロータかな本体１２０とを心合せし得る。
【００６４】
なお、この第二実施例のロータ構造体１１０は、第一実施例のロータ構造体１０について説明したのと同様な長所を備える。また、このロータ構造体１１０が、図１８に示したようなモータ本体２組込まれて時計用モータ３を構成し、時計５に用いられるに好適であることも、第一実施例のロータ構造体１と同様である。
【００６５】
以上のような構造を有するロータ構造体１０１の製造方法について、次に、図１３から図１７に基づいて説明する。
【００６６】
ロータ構造体１０１は、図１３のフローチャートに示した手順に従って、製造される。
【００６７】
まず、図１３の（ａ）に示したように、円板状磁石１１０及びロータかな本体１２０の関連する寸法を測定する（ステップＳＢ１）。より詳しくは、図１５の（ａ）に示したように、円板状のロータ磁石１１０については、その直径Ｄを測定する。また、ロータかな本体１２０については、ロータかな本体１２０の下側ほぞ部（−Ｚ側のほぞ部）１２４の中心Ｃ１と位置決め面１３０Ｃとの間のＸ方向距離Ｅ、並びに該下側ほぞ部１２４の中心Ｃ１と位置決め面１６９の夫々との間のＹ方向距離Ｇを測定する。
【００６８】
これにより、必要な位置調整長さＦ及びＧが、
Ｆ＝（Ｄ／２）−Ｅ、及び
Ｊ＝（Ｄ／２）−Ｇ
として決定される。
【００６９】
次に、位置決め平面１４１を備えた治具１４０をセットすると共に、ロータかな本体１２０を治具１４０に対して所定位置に所定の向きでセットする。これにより、治具１４０は、位置決め平面１４１の一部１４１Ａでロータかな本体１２０の位置決め面１３０Ｃに当接すると共に、他の一部１４１Ｂが、第一の径方向穴１２５の開口１３１を実際上蔽う（ステップＳＢ２，ＳＢ３）。なお、このとき、位置決め平面１４１は、開口１３１の側縁を規定するロータかな本体２０の直線状側縁部１３０Ａ，１３０Ｂにも当接する（図１６の（ａ）参照）。
【００７０】
次に、図１４及び図１５の（ｂ）に示したように、ロータかな本体１２０の開口１２８から円板状のロータ磁石１１０を第一の径方向穴１２５内にＸ方向に挿入し押込む（ステップＳＢ４）。この押込みに際しては、例えば、治具１４０の位置決め面１４１に対してＸ方向に変位される押込み具を用いる。この押込み具は、例えば、治具１４０の一部をなす。
【００７１】
この挿入ないし押込みは、図１６の（ａ）に示したように、ロータ磁石１１０の円板１１１の外周面１１２の奥端部１１２Ａが開口１３１を閉じている治具１４０の平面部１４１Ｂに当接することにより、完了する（ステップＳＢ５）。従って、治具１４０の位置決め面１４１を含む部分をロータかな本体１２０の位置決め面１３０に沿ってスライドさせて開口１３１のところから取り除く（ステップＳＢ６）。但し、ロータかな本体１２０を安定に所定の向き及び位置に保持した状態に保つべく、治具１４０のうち位置決め平面１４１の部分をロータかな本体１２０の位置決め平面部１３０Ｃに対して当接状態に保つ。この状態では、図１６の（ａ）に示したように、円板状磁石１１０の中心Ｃ２がロータかな本体２０の中心Ｃ１に対して、上記長さＦだけＸ方向にズレていることになる。なお、この状態では、Ｙ方向にもズレある。
【００７２】
次に、押込み平面を備えた押込み治具によって、円板状磁石１１０を第一の径方向穴１２５に沿ってＸ方向に上記所定長さＦだけ押込む（ステップＳＢ７）。これにより、円板状磁石１１０の中心Ｃ２のＸ方向位置がロータかな本体１２０の中心Ｃ１のＸ方向位置に一致しＸ方向の位置調整が完了する（図１６の（ｂ））。Ｘ方向位置調整が完了したこの状態において、該円板状磁石１１０は、図１２に示したように、上下面１１１Ａ，１１１Ｂがロータかな本体１２０の頂壁１６１の突条１６３，１６３及び底壁１６２によりＺ方向内向きに締付け把持されるので、ロータかな本体１２０に対して固定状態に保たれる。
【００７３】
この状態では、円板状磁石１１０の中心Ｃ２は、ロータかな本体１２０の中心Ｃ１に対して、Ｙ方向にはズレている。
【００７４】
次に、図１７の（ａ）からわかるように、第一の径方向穴１２５がズレて中央によっている側、即ちロータかな本体１２０に対して円板状磁石１１０が偏心により逃げている側（この例では−Ｙの側）にある位置決め面１６９に対して、治具１４０のうち位置決め平面１８１を備えた治具部分１８０をセットする。治具部分１８０は治具１４０とは別の治具であってもよい。これにより、治具部分１８０は、位置決め平面１８１の一部１８１Ａでロータかな本体１２０の位置決め面１６９に当接すると共に、他の一部１８１Ｂが、第二の径方向穴１６５の開口１６８を実際上蔽う（ステップＳＢ８，ＳＢ９）。なお、このとき、必要に応じて、ロータかな本体１２０の位置や向きを調整する。
【００７５】
次に、図１７の（ａ）に示したように、ロータかな本体１２０の第二の径方向穴１６５の開口１７０側から円板状のロータ磁石１１０を径方向穴１６５内で−Ｙ方向に押込む。この押込みは、図１７の（ｂ）に示したように、ロータ磁石１１０の円板１１１の外周面１１２の奥端部１１２Ｂが開口１６８を閉じている治具部分１８０の平面部１８１Ｂに当接することにより、完了する（ステップＳＢ１０）。従って、治具部分１８０の位置決め面１８１を含む部分をロータかな本体１２０の位置決め面１６９に沿ってスライドさせて開口１６８のところから取り除く（ステップＳＢ１１）。但し、ロータかな本体１２０を安定に所定の向き及び位置に保持した状態に保つべく、治具部分１８０のうち位置決め平面１８１の部分をロータかな本体１２０の位置決め平面部１６９に対して当接状態に保つ。この状態では、図１７の（ｂ）に示したように、円板状磁石１１０の中心Ｃ２がロータかな本体１２０の中心Ｃ１に対して、Ｙ方向に上記長さＧだけズレていることになる。
【００７６】
次に、押込み平面を備えた押込み治具によって、円板状磁石１１０を第二の径方向穴１６５に沿って上記所定長さＧだけ押込む（ステップＳＢ１２）。これにより、円板状磁石１１０の中心Ｃ２がロータかな本体１２０の中心Ｃ１に一致して、心合せが達成され、磁石１１０の位置調整が完了し（ステップＳＢ１３）、ロータ構造体１１０が完成する（ステップＳＢ１４及び図１７の（ｃ））。この状態では、円板状磁石１１０は、図１２に示したように、上下面１１１Ａ，１１１Ｂがロータかな本体１２０の頂壁１６１の突条１６３，１６３及び底壁１６２によりＺ方向内向きに締付け把持されるので、ロータかな本体１２０に対して固定状態に保たれる。
【００７７】
磁石１１０の磁化のタイミングや向きについては前述のとおりである。
【００７８】
このロータ構造体１０１では、直交する二方向に位置調整が行われ得るので、円板状磁石１１０をロータかな本体１２０に対して、実際上常に、偏心のない状態に位置決め固定し得る。
【図面の簡単な説明】
【００７９】
【図１】本発明による好ましい第一実施例の時計用モータのロータ構造体の斜視説明図。
【図２】図１のロータ構造体のロータかな本体を示したもので、（ａ）は＋Ｚ側から見た上面（平面）説明図、（ｂ）は−Ｚ側から見た下面（底面）説明図、（ｃ）は−Ｘ側から見た正面説明図、（ｄ）は＋Ｘ側から見た背面説明図。
【図３】図１のロータ構造体のロータかな本体を示したもので、（ａ）は−Ｙ側から見た右側面説明図、（ｂ）は＋Ｙ側から見た左側面説明図、（ｃ）は斜視説明図。
【図４】図１のロータ構造体におけるロータかな本体による円板状磁石の保持状態を説明するための断面説明図。
【図５】図１のロータ構造体を製造手順を示したフローチャート。
【図６】図５の手順において、磁石をロータかな本体の径方向穴に挿入する前の状態を示した斜視説明図。
【図７】図５の手順に従った磁石の挿入状況を示したもので、（ａ）は挿入開始前の図６の状態を−Ｚ側から見た下面説明図、（ｂ）は挿入操作を開始し磁石が径方向穴に入り始める直前の状態を−Ｚ側から見た下面説明図。
【図８】図５の手順に従った磁石の挿入状況を示したもので、（ａ）は磁石の奥縁が治具の位置決め面に当接した状態を−Ｚ側から見た下面説明図、（ｂ）は磁石を更に挿入して心合せが完了した状態を−Ｚ側から見た下面説明図。
【図９】本発明による好ましい第二実施例の時計用モータのロータ構造体の斜視説明図。
【図１０】図９のロータ構造体のロータかな本体を示したもので、（ａ）は＋Ｚ側から見た上面（平面）説明図、（ｂ）は−Ｚ側から見た下面（底面）説明図、（ｃ）は−Ｘ側から見た正面説明図、（ｄ）は＋Ｘ側から見た背面説明図。
【図１１】図９のロータ構造体のロータかな本体を示したもので、（ａ）は−Ｙ側から見た右側面説明図、（ｂ）は＋Ｙ側から見た左側面説明図、（ｃ）は斜視説明図。
【図１２】図９のロータ構造体におけるロータかな本体による円板状磁石の保持状態を説明するための断面説明図。
【図１３】図９のロータ構造体を製造手順を示したフローチャート。
【図１４】図１３の手順において、磁石をロータかな本体の第一の径方向穴に挿入する前の状態を示した斜視説明図。
【図１５】図１３の手順に従った磁石の挿入状況を示したもので、（ａ）は第一の径方向穴への挿入開始前の図１４の状態を−Ｚ側から見た下面説明図、（ｂ）は第一の径方向穴への挿入操作を開始し磁石が第一の径方向穴に入り始める直前の状態を−Ｚ側から見た下面説明図。
【図１６】図１３の手順に従った磁石の挿入状況を示したもので、（ａ）は第一の径方向穴に挿入された磁石の奥縁が治具の位置決め面に当接した状態を−Ｚ側から見た下面説明図、（ｂ）は磁石を第一の径方向穴に更に挿入して該第一の径方向穴の延在方向の位置調整が完了した状態を−Ｚ側から見た下面説明図。
【図１７】図５の手順に従った磁石の挿入状況を示したもので、（ａ）は第二の径方向穴に対して位置決め用治具を配置した状態を−Ｚ側から見た下面説明図、（ｂ）は第二の径方向穴に沿って移動された磁石の奥縁が治具の位置決め面に当接した状態を−Ｚ側から見た下面説明図、（ｂ）は磁石を第二の径方向穴に更に挿入して心合せが完了した状態を−Ｚ側から見た下面説明図。
【図１８】図１や図９のロータ構造体が組込まれた時計用モータを備えた時計を部分的に示した平面説明図。
【符号の説明】
【００８０】
１，１０１  ロータ構造体
２  時計用モータ本体
３  時計用モータ
５  時計
１０，１１０  円板状磁石
１１，１１１  円板状磁石本体
１２，１１２  周面
１２Ａ，１１２Ａ，１１２Ｂ  奥端
２０，１２０  ロータかな本体
２１，１２１  枠体部
２２，１２２  かな部
２３，１２３  上側ほぞ部
２４，１２４  下側ほぞ部
２５，１２５  （第一の）径方向穴
２６，２７，１２６，１２７  切欠部
２８，３１，１２８，１３１  開口
２９，１２９  挿入案内部
３０，１３０  位置決め部
３０Ｃ，１３０Ｃ  位置決め面
３２Ａ，３２Ｂ  側壁
４０，１４０，１８０  治具
４１，１４１，１８１  位置決め面
１３４，１４５，１３６，１３７  柱状部
１６１  頂壁
１６２  底壁
１６３  突条
１６５  第二の径方向穴
１６６，１６７  切欠部（凹部）
１６８，１７０  開口
１６９  位置決め部
Ｃ１  ロータかな本体の回転中心軸線
Ｃ２  円板状磁石の中心軸線
Ｄ  円板状磁石の直径
Ｅ  ロータかな本体の（第一の位置）決め面と中心との距離
Ｆ  （第一の）位置決め面に当接した状態での偏心の大きさ
Ｇ  ロータかな本体の（第二の位置）決め面と中心との距離
Ｈ  円板状磁石の高さ
Ｊ  （第一の）位置決め面に当接した状態での偏心の大きさ
Ｌ１，Ｌ４  （第一の）径方向穴のＸ方向長さ
Ｌ２，Ｌ５  （第一の）径方向穴のＹ方向幅
Ｌ３  （第一の）径方向穴のＺ方向高さ
Ｌ６  第二の径方向穴のＹ方向長さ
Ｌ７  第二の径方向穴のＸ方向幅
Ｌ８  底壁と突条との間隔
Ｘ，Ｙ，Ｚ  直交座標系の方向
【図１】
2008107126.tif 000003
【図２】
2008107126.tif 000004
【図３】
2008107126.tif 000005
【図４】
2008107126.tif 000006
【図５】
2008107126.tif 000007
【図６】
2008107126.tif 000008
【図７】
2008107126.tif 000009
【図８】
2008107126.tif 000010
【図９】
2008107126.tif 000011
【図１０】
2008107126.tif 000012
【図１１】
2008107126.tif 000013
【図１２】
2008107126.tif 000014
【図１３】
2008107126.tif 000015
【図１４】
2008107126.tif 000016
【図１５】
2008107126.tif 000017
【図１６】
2008107126.tif 000018
【図１７】
2008107126.tif 000019
【図１８】
2008107126.tif 000020